(57)【特許請求の範囲】
【請求項１】
履物外被１を備える履物において、
底上部１１の周囲に備えられる上端縁部１３と、前記上端縁部１３に囲まれた部分に備えられる空気室１４と、前記上端縁部１３と下方に対向する底下部１２の外側縁部に底面１５から外側上方に傾く昇降縁面部１６とを持つ外底１０と；
前記空気室１４の上部を遮蔽するように上端縁部１３に固定され、前部に多数の通風小孔２１を持つ中底２０と；
前記空気室１４に供給された外部空気が逆流しないようにする逆流防止バルブ３０と；
前記逆流防止バルブ３０に外部空気が供給されるようにする空気流入管４０と；を含んでなり、
前記外底１０は弾性材からなり、前記中底２０は撓まない材質からなり、
前記履物を使用した時、前記昇降縁面部１６が地面側に圧縮されると、前記外底１０が変形し、前記空気室１４が圧縮され、前記空気室１４内の空気が前記通風小孔を通じて前記履物外被１内部に送風されることを特徴とする、外底を用いてポンピング作用する通風履物。
【請求項２】
前記昇降縁面部１６と底面１５が合う境界地点１６ａが上端縁部１３より内側に位置し、前記昇降縁面部１６が底面１５に対して１０〜４５°の勾配角（β）を持つことを特徴とする、請求項１に記載の外底を用いてポンピング作用する通風履物。
【請求項３】
前記外底１０の空気室１４の下側の内面１０ａと中底２０の内面２０ａにそれぞれ吸音部材５０が付着されるとかあるいは前記外底１０の内面１０ａと中底２０の内面２０ａのいずれか一方にだけ吸音部材５０が付着されることを特徴とする、請求項１に記載の外底を用いてポンピング作用する通風履物。
【発明の詳細な説明】
【技術分野】
【０００１】
本発明は通風履物に係り、より詳しくは外底を用いて通風作用するように改善した外底を用いてポンピング作用する通風履物に関するものである。
【背景技術】
【０００２】
一般に、通風履物は、先行技術の特許文献のように、履物の内部にポンピング可能な空気チューブを内蔵し、中底が上下方向に動くようにして通風ができるようにするものが主流を成している。
【０００３】
また、履物の内部にスプリングのような弾力部材を内装し、上下方向に弾力作用して通風作用するようにするものなどが開示されている。
【０００４】
しかし、前述したような従来の通風履物は、空気チューブや弾力部材を内蔵しなければならないので、生産工程数が多くて製造コストの上昇による競争力低下が生ずるだけでなく、耐久性低下による寿命短縮の問題点が引き起こされることによって消費低下につながる問題点がもたらされた。
【０００５】
したがって、通風履物は非通風履物よりは非常に良いというのは誰でも分かっている事実であるが、耐久性の低下及び購入価格の上昇と寿命短縮などの問題点を克服し難くて事実上商用化することができない実情にある。
【０００６】
したがって、本発明者は、生産性向上を図り、コストアップを引き起こさず、寿命延長を図る通風履物を研究するに至った。
【先行技術文献】
【特許文献】
【０００７】
【特許文献１】大韓民国実用新案公開第２０−１９９３−０００５０６０Ｙ１号明細書（１９９３．０８．０４）
【特許文献２】大韓民国特許公開第１０−２００５−００４５９７４Ａ号明細書（２００５．０５．１７）
【特許文献３】大韓民国特許公開第１０−２０１２−００１６０３４Ａ号明細書（２０１２．０２．２２）
【特許文献４】大韓民国特許第１０−１１４７６７５Ｂ１号明細書（２０１２．０５．２１）
【発明の概要】
【発明が解決しようとする課題】
【０００８】
本発明は外底を用いてポンピング作用して通風ができるようにする、外底を用いてポンピング作用する通風履物を提供することにその目的がある。
【０００９】
本発明の他の目的は、生産性の向上、原価低減及び品質向上を図って商用化することができる通風履物を提供することにある。
【課題を解決するための手段】
【００１０】
本発明は、履物外被を備える履物において、底上部に備えられる上端縁部と、前記上端縁部の内部に備えられる空気室と、前記上端縁部と下方に対向する底下部の外側縁部に底面から外側上方に傾く昇降縁面部とを持つ外底と；前記空気室の上部を遮蔽するように上端縁部に固定され、前部に多数の通風小孔を持つ中底と；前記空気室に供給された外部空気が逆流しないようにする逆流防止バルブと；前記逆流防止バルブに外部空気が供給されるようにする空気流入管と；を含んでなることを特徴とする。
【００１１】
前記昇降縁面部と底面が合う境界地点が上端縁部より内側に位置し、前記昇降縁面部が底面１５に対して１０〜４５°の勾配角（β）を持つことを特徴とする。
【００１２】
前記外底の空気室の下側の内面と中底の内面にそれぞれ吸音部材が付着されるとかあるいは前記外底の内面と中底の内面のいずれか一方にだけ吸音部材が付着されることを特徴とする。
【発明の効果】
【００１３】
本発明は従来のような別途の気嚢がなくも外底を用いてなだらかで良好にポンピング作用する通風履物を提供することになる効果がある。
【００１４】
そして、従来のような気嚢を排除し、履物の必須構成品である外底及び中底だけでも通風可能な履物を製造することができるので、生産性の向上、製造コストの低減を図り、通風機能を持つ履物を安価で普及して商用化することができるようにする効果があるものである。
【図面の簡単な説明】
【００１５】
【図１】本発明による通風履物の一側断面図である。
【図２】本発明の要部構成を示した分解斜視図である。
【図３（ａ）】図２のＹ−Ｙ’線についての断面状態を示した作用状態図である。
【図３（ｂ）】図２のＹ−Ｙ’線についての断面状態を示した作用状態図である。
【図４（ａ）】本発明が実施された外底の斜視図である。
【図４（ｂ）】本発明が実施された外底の底面図である。
【図５（ａ）】本発明に採用される逆流防止バルブの断面構成図である。
【図５（ｂ）】本発明に採用される逆流防止バルブの断面構成図である。
【図６】本発明の空気流入管の他の実施例の採用状態を示した分離斜視図である。
【図７】本発明の逆流防止バルブの他の採用状態及び吸音部材が採用された状態を示した断面構成図である。
【図８】本発明による通風履物が地面に着地した状態の作用を説明する断面図である。
【発明を実施するための形態】
【００１６】
本発明を好適な実施形態を示す添付図面に基づいてより詳細に説明すれば次のようである。
【００１７】
図１及び図２を参照すれば、本発明は、履物外被１と、外底１０と、中底２０とを備える。
【００１８】
前記外底１０は弾性を持つゴム部材からなり、底上部１１に上端縁部１３を備える。
【００１９】
また、前記上端縁部１３の内側に備えられる空気室１４と、前記上端縁部１３と下方に対向する底下部１２の外側縁部に底面１５から外側上方に傾く昇降縁面部１６とを持つように構成される。
【００２０】
また、図３の（ａ）の図示のように、昇降縁面部１６と底面１５が合う境界地点１６ａが上端縁部１３より内側に位置するように構成される。
【００２１】
そして、昇降縁面部１６が底面１５から上向きに傾くようにすれば良いものの、前記昇降縁面部１６が底面１５に対して１０〜４５°の勾配角（β）を持つようにすることが好ましい。
【００２２】
また、前記昇降縁面部１６は、図４に示したように、外底１０の全縁部に構成されることもできるが、場合によっては踵部を持つ履物においては踵部を除いた残りの部分にだけ備えるようにすることもできる。
【００２３】
また、前記昇降縁面部１６は直線状にすることが好ましいが、底面１５と同一線上にいないように構成すれば良いので、場合によっては曲線状または他の形状に形成することもできるものである。
【００２４】
また、図１を参照すれば、中底２０は前側に多数の通風小孔２１を備え、外底１０の空気室１４の上部を遮蔽するように上端縁部１３に固定されるように構成される。
【００２５】
このような中底２０はめったに撓まない硬性材からなることが好ましいが、必ずしもこれに限定されるものではない。
【００２６】
そして、本発明は、空気室１４に外部空気を供給した後、逆流しないようにする機能をする逆流防止バルブ３０を備え、前記逆流防止バルブ３０に外部空気を供給する空気流入管４０を備えることになる。
【００２７】
前記逆流防止バルブ３０は、図１に示したように、空気室１４の後尾側の外底１０に固定設置され、空気流入管４０は履物外被１の後部に内蔵して逆流防止バルブ３０に連結されるように構成される。
【００２８】
前記逆流防止バルブ３０は、図５の（ａ）に示したように、エア通路３１の前方に開閉シート３２を備え、その一端部を逆流防止バルブ３０に固定し、他端部は自由端部となるように構成したものが使用できる。
【００２９】
この場合、空気流入管４０を通じて吸入された外部空気がエア通路３１を通じて空気室１４に移動しながら、図５の（ａ）に仮想線で示したように、開閉シート３２の自由端部が外側方向に撓むことによってエア通路３１が開放するので、外部空気が空気室１４に吸入される状態となる。
【００３０】
しかし、空気室１４の空気が逆流防止バルブ３０側に送風される状態となる場合には開閉シート３２が押し出される状態となり、図５の（ａ）の実線で示したように、開閉シート３２の自由端部がエア通路３１に密着して閉鎖させることにより、空気室１４の空気がエア通路３１に逆流することができないように遮断する。
【００３１】
一方、本発明の逆流防止バルブ３０は、図５の（ｂ）に示したように、エア通路３１がボール３３によって開閉するように構成されたものを採用することもできる。
【００３２】
この場合、空気流入管４０に外部空気が吸入されればボール３３を押し出すことにより、図５の（ｂ）の実線で示したように、エア通路３１が開放し、外部空気がエア通路３１を通じて空気室１４に供給される状態となる。反対に、空気室１４の空気がエア通路３１に逆流しようとするときは空気がエア通路３１を通過しようとする圧力により、図５の（ｂ）の仮想線で示したように、ボール３３が移動してエア通路３１を遮蔽することで、空気室１４に吸入された空気が再び空気流入管４０に逆流することができないようにするものである。
【００３３】
前述した逆流防止バルブ３０はもう公知のもので、本発明はこのような逆流防止バルブ３０の機能を持つものであればいずれも採用することができる。
【００３４】
一方、空気流入管４０は、図６に示したように、外底２０の一側に備えて逆流防止バルブ３０に連結することもでき、逆流防止バルブ３０は、図７に示したように、空気室１４の内部で中底２０の内面に固定して空気流入管４０に連結されるように備えることもできるものである。
【００３５】
したがって、本発明は逆流防止バルブ３０及び空気流入管４０をさまざまな形態に変形することができるだけではなく、外部空気を空気室１４に供給することができるとともに空気室１４の空気が空気流入管４０に逆流することができないようにする構造であれば良いので、いろいろに変形された構造を採用することができるものである。
【００３６】
そして、本発明は、図７に示したように、前記外底１０の空気室１４の下側内面１０ａと中底２０の内面２０ａにそれぞれ吸音部材５０を付着するとか、あるいは前記外底１０の内面１０ａと中底２０の内面２０ａのいずれか一方にだけ吸音部材５０が付着されるように構成される。
【００３７】
前記吸音部材５０は不織布のようなものを採用してなるもので、空気室１４の空気が圧縮されて通風小孔２１に放出されるために高速で空気室１４の内部で流れるときに発生する気流音を吸収することで、外部で聞こえないようにする役目をする。
【００３８】
したがって、履物を履いた状態で歩行するとき、図８の図示のように、外底１０の底面１５が地面Ｇに触れる状態となれば、体重が外底１０に加わり、その体重によって、図３の（ｂ）のように、昇降縁面部１６が地面Ｇ側に押圧されて圧縮される。この際、外底１０及び中底２０は弾性及び伸縮性を持つものなので、うまく圧縮される。
【００３９】
そして、昇降縁面部１６が地面Ｇ側に圧縮されて移動する作用と同時に中底２０が下降して移動することによって空気室１４が圧縮されることにより、空気室１４の空気が通風小孔２１を通じて履物外被１の内部に送風される状態となるものである。
【００４０】
もちろん、この時には逆流防止バルブ３０が開閉シート３２によって遮蔽され、空気室１４の空気が空気流入管４０に逆流しないで通風小孔２１にだけ送風されるので、良好な通風作用がなされる。
【００４１】
そして、歩行時に地面Ｇから履物が離れる状態となれば、圧縮されていた昇降縁面部１６が外底１０の材質特性上弾性を持つものなので、昇降縁面部１６が広がることによって空気室１４が図３の（ａ）及び図７のように拡張する状態となり、それにより外部空気を空気室１４に吸入する吸入力が発生する。
【００４２】
よって、逆流防止バルブ３０の開閉シート３２の自由端部が外側方向に広がって開放されると同時に空気流入管４０を通じて新鮮な外部空気が空気室１４に吸入される状態となる。
【００４３】
そして、前述したように再び地面Ｇに着地する状態となれば、外底１０の昇降縁面部１６がまた圧縮され、空気室１４の空気が通風小孔２１を通じて履物外被１の内部に送風されることによって通風される。歩行時には昇降縁面部１６が下方に圧縮されてから上方にひろがる作用によって空気室１４が圧縮及び拡張されて通風するポンピング作用が継続的になされるものである。
【００４４】
したがって、本発明は従来のような気嚢（空気チューブ）がなくてもなだらかで良好にポンピング作用する履物を提供することになる。
【００４５】
そして、従来のような気嚢が排除され、履物の必須構成品である外底１０及び中底２０だけでも通風可能な履物を製造することができるので、製造コストの低減が図れ、通風機能を持つ履物を安価で普及することができるものである。
【００４６】
本発明は一実施例を図示して説明したが、これに限定されるものではなく、本発明が属する当該技術分野の通常の知識を持った者によってさまざまな形態に変形実施できるので、請求範囲を大きく外れない限り、幅広く保護されなければならないのは自明である。
【符号の説明】
【００４７】
１    履物外皮
１０    外底
１１    底上部
１２    底下部
１３    上端縁部
１４    空気室
１５    底面
１６    昇降縁面部
１６ａ    境界地点
２０    中底
２１    通風小孔
３０    逆流防止バルブ
３１    エア通路
３２    開閉シート
３３    ボール
４０    開閉シート
５０    吸音部材
【図１】
0006350832.tif 000002
【図２】
0006350832.tif 000003
【図３（ａ）】
0006350832.tif 000004
【図３（ｂ）】
0006350832.tif 000005
【図４（ａ）】
0006350832.tif 000006
【図４（ｂ）】
0006350832.tif 000007
【図５（ａ）】
0006350832.tif 000008
【図５（ｂ）】
0006350832.tif 000009
【図６】
0006350832.tif 000010
【図７】
0006350832.tif 000011
【図８】
0006350832.tif 000012